(57)【要約】【課題】より視認性の高い出力物を得る方法を提供する。【解決手段】ページデータ１０３をＣＭＹＫ→ＣＭＹ変換手段１２３により３色（ＣＭＹ）のページデータに変換する。プリンタ４９０に合計インク使用量制限がある場合、変換後のイエロー（Ｙ）成分の量を、シアン（Ｃ）、マゼンダ（Ｍ）より少なく制限するプロファイルを用い変換を行う。変換後、ドットパターン・ページデータ合成手段１２７によりブラック（Ｋ）の位置符号化ドットパターン１０１と合成し位置情報付き校正物データ４３１を得る。ネットワーク１５０を介して位置情報付き校正物データ４３１を校正用端末４７１に送り、プリンタ４９０で印刷する。印刷した位置情報付き校正出力物１３３紙上に光学読取機構付ペン４８１で校正指示を記入し、校正指示情報をネットワーク１５０を介して校正管理サーバ４０５に送る。【選択図】図６
2010028700.tif 000002
【特許請求の範囲】
【請求項１】
ページデータを、シアン（Ｃ）、マゼンダ（Ｍ）、イエロー（Ｙ）の３色に変換する色変換ステップと、
変換された前記ページデータと、ページ識別情報とページ上の位置を符号化したブラック（Ｋ）によるパターン画像とを合成し、位置情報付きページデータを作成する合成ステップと、
前記位置情報付きページデータを印刷する印刷ステップと、
を有することを特徴とする出力物作成方法であって、
前記色変換ステップでは、前記印刷ステップにおいて合計インク使用量が制限される場合、変換後のイエロー（Ｙ）成分の量を制限し、シアン（Ｃ）、マゼンダ（Ｍ）成分よりも少ない量とするプロファイルを用いた変換を行うことを特徴とする出力物作成方法。
【請求項２】
前記色変換ステップは、変換後のイエロー（Ｙ）成分の量を制限しないで変換を行う場合、変換後のシアン（Ｃ）、マゼンダ（Ｍ）、イエロー（Ｙ）成分の合計インク量が、前記印刷ステップにおける合計インク使用量制限を超える、全てのオブジェクトに対して適用されることを特徴とする請求項１に記載の出力物作成方法。
【請求項３】
前記色変換ステップは、変換前のページデータにおける、ブラック（Ｋ）１００％で構成されるオブジェクトに対して適用されることを特徴とする請求項１に記載の出力物作成方法。
【請求項４】
ページデータを、シアン（Ｃ）、マゼンダ（Ｍ）、イエロー（Ｙ）の３色に変換し、
変換された前記ページデータと、ページ識別情報とページ上の位置を符号化したブラック（Ｋ）によるパターン画像とを合成し、位置情報付きページデータを作成し、
前記位置情報付きページデータを印刷することにより得られることを特徴とする出力物であって、
前記変換する際には、前記印刷する際に合計インク使用量が制限される場合、変換後のイエロー（Ｙ）成分の量を制限し、シアン（Ｃ）、マゼンダ（Ｍ）成分よりも少ない量とするプロファイルを用いた変換を行うことを特徴とする出力物。
【請求項５】
変換後のイエロー（Ｙ）成分の量を制限しないで変換を行う場合、変換後のシアン（Ｃ）、マゼンダ（Ｍ）、イエロー（Ｙ）成分の合計インク量が、前記印刷する際の合計インク使用量制限を超える全てのオブジェクトに対して前記変換が行われることを特徴とする請求項４に記載の出力物。
【請求項６】
変換前のページデータにおける、ブラック（Ｋ）１００％で構成されるオブジェクトに対して前記変換が行われることを特徴とする請求項４に記載の出力物。
【請求項７】
ページデータを、シアン（Ｃ）、マゼンダ（Ｍ）、イエロー（Ｙ）の３色に変換する色変換手段と、
前記色変換手段によって変換された前記ページデータと、ページ識別情報とページ上の位置を符号化したブラック（Ｋ）によるパターン画像とを合成し、位置情報付きページデータを作成する合成手段と、
前記位置情報付きページデータを印刷する印刷手段と、
を有する出力物作成装置であって、
前記印刷手段において合計インク使用量が制限される場合、前記色変換手段は、変換後のイエロー（Ｙ）成分の量を制限し、シアン（Ｃ）、マゼンダ（Ｍ）成分よりも少ない量とするプロファイルを用いた変換を行うことを特徴とする出力物作成装置。
【請求項８】
前記色変換手段は、変換後のイエロー（Ｙ）成分の量を制限しないで変換を行う場合、変換後のシアン（Ｃ）、マゼンダ（Ｍ）、イエロー（Ｙ）成分の合計インク量が、前記印刷手段における合計インク使用量制限を超える、全てのオブジェクトに対して変換を行うことを特徴とする請求項７に記載の出力物作成装置。
【請求項９】
前記色変換手段は、変換前のページデータにおける、ブラック（Ｋ）１００％で構成されるオブジェクトに対して変換を行うことを特徴とする、請求項７に記載の出力物作成装置。
【請求項１０】
コンピュータを、
ページデータを、シアン（Ｃ）、マゼンダ（Ｍ）、イエロー（Ｙ）の３色に変換する色変換手段と、
前記色変換手段によって変換された前記ページデータと、ページ識別情報とページ上の位置を符号化したブラック（Ｋ）によるパターン画像とを合成し、位置情報付きページデータを作成する合成手段として機能させるためのプログラムであって、
前記位置情報付きページデータを印刷する印刷手段において合計インク使用量が制限される場合、前記色変換手段は、変換後のイエロー（Ｙ）成分の量を制限し、シアン（Ｃ）、マゼンダ（Ｍ）成分よりも少ない量とするプロファイルを用いた変換を行うことを特徴とするプログラム。
【請求項１１】
前記色変換手段は、変換後のイエロー（Ｙ）成分の量を制限しないで変換を行う場合、変換後のシアン（Ｃ）、マゼンダ（Ｍ）、イエロー（Ｙ）成分の合計インク量が、前記印刷手段における合計インク使用量制限を超える、全てのオブジェクトに対して変換を行うものであることを特徴とする請求項１０に記載のプログラム。
【請求項１２】
前記色変換手段は、変換前のページデータにおける、ブラック（Ｋ）１００％で構成されるオブジェクトに対して変換を行うものであることを特徴とする、請求項１０に記載のプログラム。
【発明の詳細な説明】
【技術分野】
【０００１】
本発明は、視認性の良好な出力物を得るための出力物作成方法、および出力物、出力物作成装置、プログラム、に関する。
【背景技術】
【０００２】
出版物や広告等を扱う印刷業界では、印刷会社と、出版社や広告会社等のクライアント間で、印刷見本を校正する作業が繰り返し行われ、その後、印刷会社によって最終的な印刷物が出力される。
この校正作業は、従来、印刷会社が作成した印刷見本にクライアントが校正指示を記入し（赤入れし）、その校正指示に従って印刷会社が修正を加えるという形で行われてきた。
【０００３】
最近では、ページ記述言語（ＰＤＬ：page description language）やネットワーク・システム等の発達により、リモートプルーフと呼ばれる遠隔地にいながらにして校正を行うシステムも開発されている。
すなわち、印刷会社が、ページ記述言語で記述された電子校正原稿をネットワークを介してクライアントに送信し、クライアントがこの電子校正原稿に校正指示を加えて、印刷会社へ返送する方法である。
リモート校正システムの一つとして、本出願人が以前に特許出願を行った、特許文献１に記載の、デジタルペンを利用した校正システムがある。これは、ページ上の位置を符号化したパターンが印刷された用紙にペンで記述した記述情報を、デジタルデータへ変換する仕組みをもつデジタルペンの特性を利用したものである。例えば、サーバと少なくとも一つのクライアント端末で構成されるデジタルペン校正システムにおいて、サーバ側で位置情報を符号化したパターンデータと印刷原稿ページデータを合成することにより位置情報付校正原稿データを作成する。一方のクライアント側では、位置情報付校正原稿データを印刷し、位置情報付校正原稿データ印刷物上にデジタルペンによって校正指示を加え、その校正指示情報をデジタルデータとしてサーバに送信する。サーバ側で、受信した校正指示情報と記憶手段で記憶しておく印刷原稿ページデータとを合成するといった流れで、ネットワークを利用した校正のやりとりを実現できる校正方法である。
特許文献１では、校正用のシステムが開示されているが、デジタルペンの特性を利用したシステムは、ページデータの内容によって、点検・メンテナンス業務、採点業務、申込受付業務など様々な業務に適用できるものである。
【特許文献１】特開２００８−１７１０３号公報
【発明の開示】
【発明が解決しようとする課題】
【０００４】
特許文献１に記載の、デジタルペンを利用した校正システムは、紙校正原稿に手書き記入される校正データを容易に電子化することを可能とするとともに、印刷会社とクライアントをネットワークを介して接続し、校正処理のやりとりを自動化したシステムを提供することを可能とする、優れた効果を有する校正処理システムである。
しかしながら、上記デジタルペン校正システムにおいては、通常ＣＭＹＫ４色で構成される印刷原稿ページデータをＣＭＹ３色に変換する必要がある。これは後に墨版Ｋから構成されるパターンデータと合成処理するためである。その結果、このデジタルペン校正で出力される出力物は、印刷原稿ページデータ部分がＣＭＹ３色で再現されること、および、位置を符号化したパターンデータとの合成処理がなされること、の２つの理由から、特に極小文字において視認性が悪く、文字校正が困難となる欠点がある。
また、前述のような、デジタルペンを利用したほかのビジネスにおいても、上記過程は同じため、同様の問題を抱える。
【０００５】
本発明は、前述した問題点に鑑みて、特開２００８−１７１０３号公報記載の校正用出力物作成方法等を改良することによりなされたもので、その目的は、視認性の良好な出力物を得るための出力物作成方法等を提供することである。
【課題を解決するための手段】
【０００６】
前述した目的を達成するために第１の発明は、ページデータを、シアン（Ｃ）、マゼンダ（Ｍ）、イエロー（Ｙ）の３色に変換する色変換ステップと、変換されたページデータと、ページ識別情報とページ上の位置を符号化したブラック（Ｋ）によるパターン画像とを合成し、位置情報付きページデータを作成する合成ステップと、位置情報付きページデータを印刷する印刷ステップと、を有することを特徴とする出力物作成方法であって、色変換ステップでは、印刷ステップにおいて合計インク使用量が制限される場合、変換後のイエロー（Ｙ）成分の量を制限し、シアン（Ｃ）、マゼンダ（Ｍ）成分よりも少ない量とするプロファイルを用いた変換を行うことを特徴とする出力物作成方法である。
【０００７】
ページ識別情報とページ上の位置を符号化したパターン画像とは、例えば、多数のドットをページ上に配したものであり、例えば、６×６個のドットの位置関係によってページ上の位置やページの識別情報が符号化されている。このパターン画像を、赤外線を吸収するカーボンを含むブラック（Ｋ）で印画することとする。
一方、ページデータは元々シアン（Ｃ）、マゼンダ（Ｍ）、イエロー（Ｙ）、ブラック（Ｋ）の４色から成るが、合成した印画するドットパターンと識別できるように、赤外線を反射する３色（シアン（Ｃ）、マゼンダ（Ｍ）、イエロー（Ｙ））のページデータに変換しておく。この３色のページデータとブラック（Ｋ）のドットパターンを合成し、印画することにより、ページ識別情報と位置情報が印画された出力物が作成される。
【０００８】
以上の構成によれば、シアン（Ｃ）、マゼンダ（Ｍ）に比べ、濃度の低いイエロー（Ｙ）成分の量を少なく抑える色変換を行うことで、濃度が高く、視認性の良好な出力物を得ることができる。
【０００９】
ここで、色変換ステップは、変換後のイエロー（Ｙ）成分の量を制限しないで変換を行う場合、変換後のシアン（Ｃ）、マゼンダ（Ｍ）、イエロー（Ｙ）成分の合計インク量が、印刷ステップにおける合計インク使用量制限を超える、全てのオブジェクトに対して適用されることとしてもよい。ここで、オブジェクトとは、ページデータに入力された線や図、図形、文字等を指す。上記の構成によれば、変換後のイエロー（Ｙ）成分の量を制限しないで変換を行う場合、変換後のシアン（Ｃ）、マゼンダ（Ｍ）、イエロー（Ｙ）成分の合計インク量が、印刷ステップにおける合計インク使用量制限を超える、全てのオブジェクトについて、濃度の低いイエロー（Ｙ）成分の量を抑える色変換を行うことで、濃度が高く、視認性の良好な出力物を得ることができる。
【００１０】
また、色変換ステップは、変換前のページデータにおける、ブラック（Ｋ）１００％で構成されるオブジェクトに対して適用されることとしてもよい。上記の構成によれば、変換前のページデータにおける、ブラック（Ｋ）１００％（％は、網点面積率（網パーセント）の意であるが、今回は簡略化し、％と表記した。以下同様である。）のオブジェクトについて、濃度の低いイエロー（Ｙ）成分の量を抑える色変換を行うことで、濃度が高く、視認性の良好な出力物を得ることができる。
【００１１】
前述した目的を達成するために第２の発明は、ページデータを、シアン（Ｃ）、マゼンダ（Ｍ）、イエロー（Ｙ）の３色に変換し、変換されたページデータと、ページ識別情報とページ上の位置を符号化したブラック（Ｋ）によるパターン画像とを合成し、位置情報付きページデータを作成し、位置情報付きページデータを印刷することにより得られることを特徴とする出力物であって、変換する際には、印刷する際に合計インク使用量が制限される場合、変換後のイエロー（Ｙ）成分の量を制限し、シアン（Ｃ）、マゼンダ（Ｍ）成分よりも少ない量とするプロファイルを用いた変換を行うことを特徴とする出力物である。
【００１２】
上記出力物上に、光学読取機構付きペンによって記入を行う。
光学読取機構付きペンは、ペンの先が触れた位置情報付きページデータの出力物にブラック（Ｋ）で印画されている位置情報に含まれるページ識別情報と、ペン先が描くストロークに関して位置情報付きページデータの出力物上の座標データからなる記述情報を検出する。
ページデータはシアン（Ｃ）、マゼンダ（Ｍ）、イエロー（Ｙ）の赤外線を反射する３色で、位置情報は赤外線を吸収するブラック（Ｋ）で印画されているので、何らかの情報を加えたい位置に光学読取機構付きペンで記入すると、書き込んだ位置のブラック（Ｋ）の画像が読み取られ、位置情報が検出される。これにより、書き込んだ記述情報ストロークの座標データと、ページ識別情報が検出される。
これらのデータは、ネットワークなどを通じて所定のサーバ等に送られる。
校正業務の場合、出力物は印刷原稿であり、出版社や広告会社等が校正指示を記入し、その校正データを印刷会社のサーバ等に送信することが可能である。
点検メンテナンス業務であれば、出力物は、ガス会社等の点検用の帳票であり、点検者が点検結果を記入し、点検データをガス会社等に送信することが可能である。また、採点業務であれば、出力物は問題用紙であり、回答が書き込まれた後、採点者が○×等の採点情報を記入し、採点データを送信することが可能である。
【００１３】
ここで、変換後のイエロー（Ｙ）成分の量を制限しないで変換を行う場合、変換後のシアン（Ｃ）、マゼンダ（Ｍ）、イエロー（Ｙ）の成分の合計インク量が、印刷する際の合計インク使用量制限を超える、全てのオブジェクトに対して、変換後のイエロー（Ｙ）成分の量を制限し、シアン（Ｃ）、マゼンダ（Ｍ）成分よりも少ない量とするプロファイルを用いた変換を行うこととしてもよい。
【００１４】
また、変換前のページデータにおける、ブラック（Ｋ）１００％で構成されるオブジェクトに対して、変換後のイエロー（Ｙ）成分の量を制限し、シアン（Ｃ）、マゼンダ（Ｍ）成分よりも少ない量とするプロファイルを用いた変換を行うこととしてもよい。
【００１５】
前述した目的を達成するために第３の発明は、ページデータを、シアン（Ｃ）、マゼンダ（Ｍ）、イエロー（Ｙ）の３色に変換する色変換手段と、色変換手段によって変換されたページデータと、ページ識別情報とページ上の位置を符号化したブラック（Ｋ）によるパターン画像とを合成し、位置情報付きページデータを作成する合成手段と、位置情報付きページデータを印刷する印刷手段と、を有する出力物作成装置であって、印刷手段において合計インク使用量が制限される場合、色変換手段は、変換後のイエロー（Ｙ）成分の量を制限し、シアン（Ｃ）、マゼンダ（Ｍ）成分よりも少ない量とするプロファイルを用いた変換を行うことを特徴とする出力物作成装置である。
【００１６】
ここで、色変換手段は、変換後のイエロー（Ｙ）成分の量を制限しないで変換を行う場合、変換後のシアン（Ｃ）、マゼンダ（Ｍ）、イエロー（Ｙ）の成分の合計インク量が、印刷手段における合計インク使用量制限を超える、全てのオブジェクトに対して変換を行うこととしてもよい。
【００１７】
また、色変換手段は、変換前のページデータにおける、ブラック（Ｋ）１００％で構成されるオブジェクトに対して変換を行うこととしてもよい。
【００１８】
前述した目的を達成するために第４の発明は、コンピュータを、ページデータを、シアン（Ｃ）、マゼンダ（Ｍ）、イエロー（Ｙ）の３色に変換する色変換手段と、色変換手段によって変換されたページデータと、ページ識別情報とページ上の位置を符号化したブラック（Ｋ）によるパターン画像とを合成し、位置情報付きページデータを作成する合成手段として機能させるためのプログラムであって、位置情報付きページデータを印刷する印刷手段において合計インク使用量が制限される場合、色変換手段は、変換後のイエロー（Ｙ）成分の量を制限し、シアン（Ｃ）、マゼンダ（Ｍ）成分よりも少ない量とするプロファイルを用いた変換を行うことを特徴とするプログラムである。
【００１９】
ここで、色変換手段は、変換後のイエロー（Ｙ）成分の量を制限しないで変換を行う場合、変換後のシアン（Ｃ）、マゼンダ（Ｍ）、イエロー（Ｙ）成分の合計インク量が、前記印刷手段における合計インク使用量制限を超える、全てのオブジェクトに対して変換を行うものであってもよい。
【００２０】
また、色変換手段は、変換前のページデータにおける、ブラック（Ｋ）１００％で構成されるオブジェクトに対して変換を行うものであってもよい。
【発明の効果】
【００２１】
本発明により、オブジェクトの濃度が高く、視認性の良好な出力物を得ることができる。
【発明を実施するための最良の形態】
【００２２】
以下、図面に基づいて本発明の第１の実施形態について詳細に説明する。
本実施形態では、デジタルペンを用いるシステムの代表的なものと考えられる、校正業務にこれを適用する例を示す。
図１は、第１の実施形態に係る校正出力物作成装置１００の機能構成図、図２は、校正出力物作成装置１００のシステム構成図、図３は、校正出力物作成装置の処理の流れを示すフローチャートである。
【００２３】
図１に示すように、校正出力物作成装置１００は、ラスター・イメージ変換手段１１０、ＣＭＹＫ→ＣＭＹ変換手段１２３、ドットパターン・ページデータ合成手段１２７、印刷手段１３０から成る。ＣＭＹＫ→ＣＭＹ変換手段１２３およびドットパターン・ページデータ合成手段１２７は１つの処理システム１２０として実現される。
【００２４】
ラスター・イメージ変換手段１１０の入力は、例えばＰＳ(PostScript（登録商標））、ＰＤＦ（page
description format）、ＥＰＳ（encapsulated
PostScript）等のページ記述言語（ＰＤＬ：page
description language）による、文字・画像データであり、ラスター・イメージ変換手段１１０は、この入力データをプリンタやイメージセッタで出力可能なＴＩＦＦ（Tagged Image File Format）等のビットマップ・データ（ラスター・イメージ）に変換する。
本実施例では、印刷原稿であるページデータＰ１および位置符号化ドットパターンデータＤ１を入力とし、それぞれのデータをラスター・イメージに変換し、ページデータＰ２、位置符号化ドットパターンＤ２に変換する。
【００２５】
ここで、位置符号化ドットパターンデータＤ１は、ページ上の位置を複数のドットの位置の組合せで符号化したページ記述言語によるデータである。位置符号化ドットパターンについては、特許公表２００３−５０８８４３公報に示されているので、ここでは、その詳細の記述を省略する。
【００２６】
ＣＭＹＫ→ＣＭＹ変換手段１２３は、シアン（Ｃ）、マゼンダ（Ｍ）、イエロー（Ｙ）、ブラック（Ｋ）の４色からなるラスター・イメージ・データを、ブラック（Ｋ）以外の３色のラスター・イメージ・データに変換する。ここで、ブラック（Ｋ）は、赤外線を吸収するカーボンを含む色材であり、一方、シアン（Ｃ）、マゼンダ（Ｍ）、イエロー（Ｙ）は赤外線を反射する色材である。
ＣＭＹＫ→ＣＭＹ変換手段１２３には、４色のページデータＰ２が入力され、このデータをシアン（Ｃ）、マゼンダ（Ｍ）、イエロー（Ｙ）の３色のページデータＰ３に変換する。これによって、印刷原稿であるページデータは、赤外線を反射する色材のみで、位置符号化ドットパターンＤ２は赤外線を吸収するブラック（Ｋ）で構成される。
【００２７】
ドットパターン・ページデータ合成手段１２７は、印刷原稿のページデータＰ３と位置符号化ドットパターンＤ２を合成して、印刷原稿のページデータＰ３上の位置を識別可能な合成データ１２９を生成する。
印刷手段１３０は、合成データ１２９をイメージセッタ、プリンタ等により印刷する。
【００２８】
図２は、校正出力物作成装置１００のシステム構成図である。
【００２９】
図１で説明したラスター・イメージ変換手段１１０は、例えば、ＲＩＰ装置（raster image processor）２１０で実現される。ＲＩＰ装置２１０は、例えばＰＳ（ＰｏｓｔＳｃｒｉｐｔ（登録商標））等のページ記述言語用インタプリタを記憶しておくＲＯＭ（read only memory）等の記憶装置、ビットマップ・データへの変換に使用するＲＡＭ（random access memory）等の記憶装置、フォント等のアウトラインデータが格納されたハードディスク装置等の記憶装置、および、ページ記述言語用インタプリタを実行するためのＣＰＵ（central processing unit）からなるラスター・イメージ変換用のコンピュータ・システムである。
【００３０】
一方、ＣＭＹＫ→ＣＭＹ変換手段１２３およびドットパターン・ページデータ合成手段１２７を実行する処理システム１２０は、制御部１３１、入出力インタフェース１３２、キーボード、マウス等の入力部１３５、ディスプレイ装置等の表示部１３７、ハードディスク装置等の記憶部１３９、通信制御装置、通信ポート等の通信部１４１からなる。
これらの各部はバス１４３に接続されている。
【００３１】
ＣＭＹＫ→ＣＭＹ変換手段１２３およびドットパターン・ページデータ合成手段１２７は、プログラムとして、制御部１３１のＲＯＭまたは記憶部１３９に格納され、制御部１３１のＣＰＵによって実行される。
入出力インタフェース１３２は、ＲＩＰ装置２１０やプリンタ１３０等の外部装置の入出力制御を実行する。
【００３２】
入力部１３５は、キーボードやマウス等の入力機器の制御を行う。
表示部１３７は、ディスプレイ装置等の出力機器の制御を行う。
さらに、通信部１４１は、例えば、インターネット等のネットワーク１５０に接続するための通信ポートや通信制御装置からなる。
【００３３】
次に、図３に沿って、位置情報付き校正出力物作成処理の流れを説明する。また、図４は、位置情報付き校正出力物作成の説明図である。
【００３４】
まず、ＲＩＰ装置２１０にＰＳ、ＰＤＦ形式等のページ記述言語による位置符号化ドットパターンＤ１１０１を取り込み、ラスターデータＤ２１１１に変換する（ステップ３０１）。
位置符号化ドットパターンＤ１１０１は、印刷原稿ページデータ１０３と同寸法の紙面上に、紙面上の位置を、図４の３０１および３０３に示すようなブラック（Ｋ）のドットの組で符号化したＰＳ、ＰＤＦ形式等のページ記述言語によるデータである。
【００３５】
図４では、３０１および３０３の部分のドットを示しているが、実際には、同様の位置を符号化したドットが紙面上全体に配置されている。
ＲＩＰ装置２１０は、位置符号化ドットパターンＤ１１０１をラスターデータに変換し、ブラック（Ｋ）のＴＩＦＦ（tagged image file format）データの位置符号化ドットパターンＤ２１１１を出力する。
【００３６】
次に、ＲＩＰ装置２１０にＰＳ、ＰＤＦ形式等のページ記述言語による印刷原稿ページデータＰ１１０３を取り込み、ラスターデータＰ２１１３に変換する（ステップ３０２）。
印刷原稿ページデータＰ１１０３は、例えば、印刷会社にクライアントが持ち込む出版原稿、広告原稿等の印刷原稿で、ページ記述言語で記述されている。
ＲＩＰ装置２１０は、印刷原稿ページデータＰ１１０３をシアン（Ｃ）、マゼンダ（Ｍ）、イエロー（Ｙ）、ブラック（Ｋ）の４色からなるラスターデータに変換し、４色（ＣＭＹＫ）のＴＩＦＦデータの印刷原稿ページデータＰ２１１３を出力する。
印刷原稿ページデータには、図４に示すように、最終的な製品となる原稿のほか、位置合わせ用のトンボや、ページ番号等のページ識別用の情報が含まれている。
【００３７】
次に、４色（ＣＭＹＫ）のＴＩＦＦデータの印刷原稿ページデータＰ２１１３が処理システム１２０に入出力インタフェース１３２を介して入力される。
制御部１３１は、ＲＯＭ等に格納されているＣＭＹＫ→ＣＭＹ変換用プログラムを起動し、４色（ＣＭＹＫ）のＴＩＦＦデータの印刷原稿ページデータＰ２１１３を３色（ＣＭＹ）のＴＩＦＦデータＰ３１２５に変換し（ステップ３０３）、ＲＡＭまたはハードディスク装置等の記憶部１３９に格納する。
【００３８】
ＣＭＹＫ→ＣＭＹ変換は、ＩＣＣプロファイルを用いて行う。この場合、入力プロファイルはＣＭＹＫ→Ｌａｂ変換が可能なプロファイルを、出力プロファイルはＬａｂ→ＣＭＹ変換が可能なプロファイルを準備する。ただし、ＣＭＹＫ→ＣＭＹ変換が可能であれば、例えば、デバイスリンクプロファイル等、その変換手法は問わない。また、ブラック（Ｋ）の成分を、適切にシアン（Ｃ）、マゼンダ（Ｍ）、イエロー（Ｙ）の成分に加算し、ＣＭＹＫによる表現色とほぼ同等の色を実現するように、ＣＭＹＫ-ＲＧＢ変換、ＣＭＹＫ−逆ＵＣＲ変換等も使用することができる。
【００３９】
ここで、出力するプリンタに合計インク使用量制限がある場合は、文字や細線など、４色（ＣＭＹＫ）の印刷原稿ページデータＰ２１１３においてブラック（Ｋ）１００％で構成されるオブジェクトについては、ＣＭＹＫ→ＣＭＹ変換の際に、シアン（Ｃ）、マゼンダ（Ｍ）よりもイエロー（Ｙ）成分の量を少なく制限する変換を行うようにしておく。
【００４０】
これを以下説明する。
【００４１】
印刷原稿において、重要な部分の一つが文字である。４色（ＣＭＹＫ）のページデータにおいては、文字はブラック（Ｋ）１００％として構成される場合が多い。
４色（ＣＭＹＫ）のページデータＰ２１１３においてブラック（Ｋ）１００％の文字をＣＭＹ３色変換すると、シアン（Ｃ）、マゼンダ（Ｍ）、イエロー（Ｙ）でブラック（Ｋ）１００％と同等の色を表現するべく変換が行われる。
よって、ブラック（Ｋ）１００％であった文字は、３色（ＣＭＹ）のページデータＰ３１２５において、シアン（Ｃ）、マゼンダ（Ｍ）、イエロー（Ｙ）の各成分の量が大きい値（例えば１００％）の文字として構成されることになる。
【００４２】
ところが、プリンタにおいて、印刷品質その他の理由により、合計インク使用量が制限されている場合がある。この制限は、各色のインクの合計使用量が２４０％を超えないようにする、などである。
しかし、色変換後の文字部分については、シアン（Ｃ）、マゼンダ（Ｍ）、イエロー（Ｙ）の各成分の合計インク量が大きくなる。
例えば、色変換後の文字部分について、ＣＭＹ各成分の量が１００％として構成されるとすると、合計インク量は３００％となる。
合計インク使用量制限が２４０％の場合、これを６０％分超えることになる。
【００４３】
よって、各色の成分の量を調整する必要がある。
【００４４】
図５は、シアン（Ｃ）、マゼンダ（Ｍ）、イエロー（Ｙ）各成分の量の調整を示したものである。
【００４５】
従来、プリンタ４９０に合計インク使用量制限がある場合には、合計インク使用量制限を超える分については、各色から等分に減らすといったことが行われてきた。これを図５（ａ）に示す。
すなわち、合計インク使用量制限が２４０％であるのに対し、ＣＭＹ各成分の合計インク量が３００％である場合、超過分６０％を各色から等分に減じるので、シアン（Ｃ）、マゼンダ（Ｍ）、イエロー（Ｙ）の成分の量から２０％ずつ引かれていた。
よって、出力の際には、シアン（Ｃ）、マゼンダ（Ｍ）、イエロー（Ｙ）の成分の量が各８０％となる。
【００４６】
しかしながら、この場合、出力物の文字については、視認性が低いという状況があった。
【００４７】
ここで、シアン（Ｃ）、マゼンダ（Ｍ）に比較してイエロー（Ｙ）の濃度は低いため、合計インク量が同じであっても、イエロー（Ｙ）の成分の量がシアン（Ｃ）、マゼンダ（Ｍ）と等量またはそれ以上あるときより、イエロー（Ｙ）の成分の量がシアン（Ｃ）、マゼンダ（Ｍ）に比較して少ないときのほうが、濃度は高くなる。
そこで、出力物の文字の濃度を高め、視認性を向上させるために、従来のように、シアン（Ｃ）、マゼンダ（Ｍ）、イエロー（Ｙ）の成分の量を等分に減じるのではなく、イエロー（Ｙ）の成分の量を減じることで、合計インク量を減じる方法が考えられる。
【００４８】
これを図５（ｂ）に示す。
すなわち、合計インク使用量制限が２４０％であるのに対し、ＣＭＹ各成分の合計インク量が３００％である場合、超過分６０％をイエロー（Ｙ）成分から減じる。
よって、出力の際には、シアン（Ｃ）、マゼンダ（Ｍ）成分の量は１００％のままであるが、イエロー（Ｙ）成分の量が４０％となる。
【００４９】
結果、従来に比べ、濃度の低いイエロー（Ｙ）成分の量が少なく構成されるので、合計インク量が同じであっても、文字部分の濃度が高く、視認性の高い出力物が得られるようになる。
【００５０】
方法としては、ＣＭＹＫ→ＣＭＹ変換手段１２３においてＩＣＣプロファイルを用いる場合、変換後のイエロー（Ｙ）成分の量がシアン（Ｃ）、マゼンダ（Ｍ）成分よりも少なくなる変換を行うプロファイルを作成することが考えられる。
その作成方法は、所望の結果が得られる測定値を作成し、ＩＣＣプロファイルを作成する方法、あるプロファイルにおいて、ブラック（Ｋ）１００％の色を変換する部分を、所望の結果となるように操作する方法が考えられる。また、プロファイル調整ツールなどで所望の結果となるようプロファイルを調整することも考えられる。
【００５１】
本実施形態では、４色（ＣＭＹＫ）の印刷原稿ページデータＰ２１１３においてブラック（Ｋ）１００％で構成されるオブジェクトを色変換する例について示したが、これに限らず、変換後のイエロー（Ｙ）成分の量を制限しないで変換を行う場合、変換後のシアン（Ｃ）、マゼンダ（Ｍ）、イエロー（Ｙ）成分の合計インク量が、印刷する際の合計インク使用量制限を超える全てのオブジェクトに対して本変換手法を適用することも可能である。
【００５２】
図３に沿った、位置情報付き校正出力物作成処理の流れの説明に戻る。
【００５３】
次に、処理システム１２０にＲＩＰ装置２１０の出力である位置符号化ドットパターンＤ２１１１を入出力インタフェース１３２を介して入力する。
制御部１３１は、ＲＯＭ等に格納されているドットパターン・ページデータ合成用プログラムを起動し、位置符号化ドットパターンＤ２１１１と３色（ＣＭＹ）のページデータＴＩＦＦデータＰ３１２５を合成し、合成データＰ３＋Ｄ２を生成し（ステップ３０４）、ＲＡＭまたはハードディスク装置等の記憶部１３９に格納する。
合成データＰ３＋Ｄ２１２９は、ＴＩＦＦデータのままでもよいし、再び、ＰＳ、ＰＤＦ等のページ記述言語形式に変換してもよい。
【００５４】
次に、制御部１３１は、プリンタ１３０を起動し、記憶部１３９に格納されている合成データＰ３＋Ｄ２を印刷する（ステップ３０５）。
図４に示すように、プリンタ１３０によって印刷された位置情報付きページデータ１３３には、印刷原稿ページデータ１２５の内容がシアン（Ｃ）、マゼンダ（Ｍ）、イエロー（Ｙ）の赤外線を反射する３色で印画され、位置符号化ドットパターン１１１が赤外線を吸収するブラック（Ｋ）で印画される。
【００５５】
位置符号化ドットパターンはブラック（Ｋ）で印画されるが、３０１、３０３に示すように、例えば、約２ｍｍ角に６×６個程度の細かいドットが配されており、印画紙面が全体として少しグレーを帯びるが、校正用の印画出力として十分に使用することができる。
また、図４に示すように、位置符号化ドットパターンは、位置情報付きページデータ１３３の紙面全体に配されている。
【００５６】
以上のように、校正出力物作成装置１００により位置情報付きページデータ１３３が生成される。
以上の第１の実施例の校正出力物作成装置１００では、ＰＤＦ、ＰＳ、ＥＰＳ形式等のページ記述言語による位置符号化ドットパターンデータＤ１をラスター・イメージ変換手段１１０によりＴＩＦＦ等のビットマップ・データに変更し、その後、ドットパターン・ページデータ合成手段１２７により、ページデータＰ３との合成を行ったが、ページ記述言語による位置符号化ドットパターンデータＤ１を、ラスター・イメージ変換手段１１０により変換することなく、ページ記述言語形式のままドットパターン・ページ合成手段１２７により合成してもよい。
【００５７】
この場合、ページデータは、ＣＭＹＫ→ＣＭＹ変換手段１２３による変換（ステップ３０３）後、ＴＩＦＦデータからＰＳ、ＰＤＦ形式等のページ記述言語形式のページデータＰ３’に再変換する。
これにより、ページ記述言語形式の位置符号化ドットパターンデータＤ１とページ記述言語形式のページデータＰ３’をドットパターン・ページデータ合成手段１２７により合成し、ページ記述言語形式の合成データＰ３’＋Ｄ１を得る（ステップ３０４）。
【００５８】
この場合、合成データＰ３’＋Ｄ１はページ記述言語形式だが、印刷を行うプリンタの種類等によっては、ＴＩＦＦ形式等のビットマップ・データに変換してから印刷してもよい。
【００５９】
通常、校正出力物作成装置１００は印刷会社に存在し、印刷会社で作成された位置情報付きページデータ１３３が、クライアントに渡され、これを使用して校正処理が実施される。
【００６０】
次に、第２の実施形態について説明する。第２の実施形態は、第１の実施形態の校正出力物作成装置１００を使用した校正処理システム４００である。
図６は、校正処理システム４００のシステム構成図、図７は、校正処理システム４００の処理の流れを示すフローチャートである。
【００６１】
図６に示すように、校正処理システム４００は、ネットワーク１５０を介し、印刷会社側のシステムとクライアント側のシステムが接続された構成を採る。
印刷会社側のシステムは、第１の実施形態で説明した校正出力物作成装置１００と、校正管理サーバ４０５、データベース４５０、端末４６０等からなる。
一方、クライアント側のシステムは、少なくとも１台の校正用端末１（４７１）からなる。校正用端末１（４７１）にはプリンタ４９０および光学読取機構付きペン４８１が接続されている。また、クライアント側に複数の校正用端末（４７２、４７３等）を設けてもよい。
【００６２】
印刷会社側の校正管理サーバ４０５は、図２の処理システム１２０と同様のコンピュータ・システムで構成される。
すなわち、制御部１３１、入出力インタフェース１３２、入力部１３５、表示部１３７、記憶部１３９、通信部１４１がバス１４３で結合された構成を採る。
校正管理サーバ４０５の制御部１３１は、制御部１３１が有するＲＯＭ等の記憶部に記憶されたＣＭＹＫ→ＣＭＹ変換１２３、ドットパターン・ページデータ合成１２７、出力データ変換４１０、データ送信手段４３０、校正データ・ページデータ合成手段４４０等のプログラムを実行するとともに、入出力インタフェース１３２、入力部１３５、表示部１３７、記憶部１３９等の制御を行う。
【００６３】
校正管理サーバ４０５は、通信部１４１を介してネットワーク１５０に接続されており、これもネットワーク１５０に接続されているクライアント側の校正用端末４７１、４７２、４７３との間でデータ通信を行うことが可能である。
また、校正管理サーバ４０５にはデータベース４５０が接続されており、印刷原稿ページデータ４５１等が格納されている。データベース４５０については後述する。
【００６４】
位置情報付き校正出力物作成処理は、第１の実施形態の場合と同様に、図３に示した処理の流れに沿って実行される。
すなわち、ＲＩＰ１１０に、ＰＤＦ、ＰＳ等のページ記述言語形式の位置符号化ドットパターンＤ１１０１と、クライアントによって作成されたＰＤＦ、ＰＳ等のページ記述言語形式の印刷原稿ページデータＰ１１０３が入力され、それぞれ、ラスターデータ（Ｄ２、Ｐ２）に変換される（ステップ３０１、３０２）。
次に、ラスターデータの印刷原稿ページデータＰ２１１３がＣＭＹＫ→ＣＭＹ変換手段１２３により、ＣＭＹＫの４色からＣＭＹの３色のデータに変換され、ＣＭＹ−ＴＩＦＦの印刷原稿ページデータＰ３１２５が生成される（ステップ３０３）。
変換の際、出力用のプリンタに合計インク使用量制限がある場合は、文字や細線など、４色（ＣＭＹＫ）の印刷原稿ページデータＰ２１１３においてブラック（Ｋ）１００％で構成されるオブジェクトについては、ＣＭＹＫ→ＣＭＹ変換の際に、イエロー（Ｙ）成分の量をシアン（Ｃ）、マゼンダ（Ｍ）より低く制限するプロファイルを用いた変換を行うようにしておく。
さらに、ブラック（Ｋ）の位置符号化ドットパターン１１１と、ＣＭＹ−ＴＩＦＦの印刷原稿ページデータＰ３１２５が、ドットパターン・ページデータ合成手段１２７により合成され、合成データ（Ｐ３＋Ｄ２）が生成される（ステップ３０４）。
【００６５】
第２の実施形態では、合成データ（Ｐ３＋Ｄ２）をクライアント側に送ることにより、校正処理を実施するシステムである。
次に、校正処理システムの処理の流れを、図７に沿って説明する。
【００６６】
まず、制御部１３１は、合成データ（Ｐ３＋Ｄ２）を出力データ変換プログラム４１０により所望の形式に変換する（ステップ６０１）。ＴＩＦＦ形式等ビットマップ・データであってもよいし、ＰＳ、ＰＤＦ等のページ記述言語形式であってもよい。ページ記述言語形式のデータの場合、データ容量を削減することが可能である。
【００６７】
また、雑誌等複数のページからなる校正用出力物をまとめてクライアントに送るようにしてもよい。
この場合、各ページの印刷原稿ページデータ１２５に異なる位置符号化ドットパターン１１１が合成される。すなわち、各ページに異なるドットパターンが印刷されることになる。
各印刷原稿ページデータ１２５と合成されるドットパターンの種類は、ページデータとドットパターンを関連付けるデータ４５３としてデータベース４５０に格納される。また、ＣＭＹＫおよびＣＭＹの印刷原稿ページデータ１１３、１２５もページデータ４５１としてデータベース４５０に格納されている。
【００６８】
次に、制御部１３１は、通信部１４１を制御し、所望の形式に変換された合成データ（Ｐ３＋Ｄ２）である位置情報付き校正物データ４３１を、ネットワーク１５０を介してクライアントの校正用端末１（４７１）に送る（ステップ６０２）。
校正用端末１（４７１）は、受信した位置情報付き校正物データ４３１をプリンタ４９０により印刷する（ステップ６０３）。
図４に示したような位置情報付きページデータ１３３が出力される。
【００６９】
クライアントは、この位置情報付きページデータ１３３を見て、校正用端末１（４７１）、２（４７２）に付属している光学読取機構付きペン４８１、４８２を使用して、校正すべき部分に校正指示を書き込む（ステップ６０４）。
図８は、校正指示の書込み例を示す図、図９は、校正指示の説明図である。
【００７０】
図９（ａ）に示すように、光学読取機構付きペン４８１は、通常のボールペン等の筆記機能を持つとともに、ＣＣＤセンサ７１１を備える。通常のボールペンを使用して紙面上に文字等を書くと、例えば、ペンが接触している部分７１５（読取部分）の画像をＣＣＤセンサ７１１が読み取る。ＣＣＤセンサ７１１は、赤外線センサ等であってもよい。
光学読取機構付きペン４８１は、そのほか、プロセサ７２１、メモリ７２３、バッテリ７２５等を有する。
例えば、アノト（登録商標）社の「アノトデジタルペン」等を使用することができる。
【００７１】
例えば、図８に示すように、クライアントが、位置情報付き校正出力物１３３の紙面上に、校正入力５０１、５０２、５０３のように光学読取機構付きペン４８１で校正指示を書き込むことができる。
校正入力５０１は、「特集」から始まる行を１文字分下げるよう校正記号で示している。また、校正入力５０２は、囲んだ部分の文字フォントを１０ｐｔにする指示である。また、校正入力５０３は、「このところ」という文字を削除（トルツメ）するよう指示している。
【００７２】
クライアントが、このように校正指示を位置情報付き校正出力物１３３の紙面上に書き込む際、光学読取機構付きペン４８１のＣＣＤセンサ７１１は、ペンが接触している部分７１５（読取部分）の画像を読み取る。ＣＣＤセンサ７１１は、紙面上のＣＭＹで印画された印刷原稿の図柄とともに、ブラック（Ｋ）で印画された位置符号化ドットパターンを読み取る。
ブラック（Ｋ）の画像のみを抽出すると、図９（ａ）の読取部分拡大図７１７に示したようなドットパターンが得られる。
【００７３】
このドットパターンには、このページデータのページを識別する情報と、紙面上での位置（座標）が符号化されており、光学読取機構付きペン４８１のプロセサ７２１は、ドットパターンからページ識別情報７３１と紙面上の位置（座標）を復号して求め、そのデータをメモリ７２３に格納する。
図９（ｂ）は、メモリ７２３に格納される校正データの構造の例を示している。
【００７４】
校正データ４３３は、ページ識別情報７３１と校正情報７３３からなる。
ページ識別情報７３１は、各ページデータ１２５に重ねられたドットパターンの種類を示す情報である。
校正情報７３３は、例えば校正指示５０１、５０２、５０３の校正データ７５１、７５２、７５３である。
各校正データ５０１は、クライアントが書き込んだ校正指示のストロークの座標データの時系列サンプル（座標データ１（７７１）、座標データ２（７７２）、座標データ３（７７３）・・・・）である。
【００７５】
クライアントが光学読取機構付きペン４８１を校正用端末４７１のペン立てに戻すと、ペン４８１内のメモリ７２３に蓄えられた校正データ４３３がＵＳＢ（universal system bus）あるいはＢｌｕｅｔｏｏｔｈ（登録商標）経由で校正用端末４７１に送られ、校正用端末１は、ネットワーク１５０を介して、校正データ４３３を校正管理サーバ４０５に送信する（ステップ６０５）。
【００７６】
校正管理サーバ４０５は、校正データ４３３を受信する（ステップ６０６）。
制御部１３１は、校正データ・ページデータ合成手段を実施するプログラムを起動し、校正データ４３３のページ識別情報７３１をキーにデータベース４５０のドットパターン関連付けデータ４５３を検索し、当該ドットパターンを合成した印刷原稿ページデータを抽出する（ステップ６０７）。
制御部１３１は、該当する印刷原稿ページデータをデータベース４５０のページデータ４５１から取り込む（ステップ６０８）。
【００７７】
そして、取り込んだページデータ４５１に、受信した校正データ４３３の各校正データ５０１、５０２、５０３のストローク情報を加える。
これにより、校正指示情報が印刷原稿ページデータに付加されたページデータ４３５が得られる（ステップ６０９）。
【００７８】
制御部１３１は、通信部１４１（データ送信手段４３０）を制御し、校正入りデータ４３５をネットワーク１５０を介してクライアント側の校正用端末に送信する（ステップ６１０）。クライアント側の複数の校正用端末（４７１、４７２、４７３・・・）に送信するようにしてもよい。
【００７９】
クライアント側の校正用端末４７１、４７２、４７３は、受信した校正入りデータ４３５を、例えば、ディスプレイ上に表示する（ステップ６１１）。
これにより、クライアントは、紙面上で指示した校正内容を、ディスプレイ上で、印刷原稿ページデータとともに確認することができる。また、複数の校正用端末上で複数のクライアントが同時に校正指示内容を確認することも可能である。
【００８０】
クライアントにより校正指示内容確認後、校正管理サーバ４０５側の端末４６０は、元のページデータ４５１に対して、校正指示に従ったページデータ４５１の修正を行う。
修正処理後のページデータは、再び、ページデータ１０３として校正処理システム４００（校正出力物作成装置１００）の入力となる。
以上の処理を繰り返すことにより、最終的に校了済みのページデータが作成され、最終的な印刷処理が実行される。
【００８１】
以上のような校正処理システム４００により、クライアントは校正原稿紙面上にペンで書きこむことによる校正指示が可能になる。モニタ上での校正入力に比べて細かな校正指示を容易に行える。
また、従来、紙面上に赤字で記入した校正出力物は、印刷会社に陸送されていたが、本発明により、校正指示内容を電子化することが可能になり、インターネット経由で校正指示内容を印刷会社に送ることにより、時間と輸送コストの削減が可能になる。また、元の印刷原稿ページデータと校正指示内容を合成することにより、印刷会社側およびクライアント側で校正指示内容を正確に表示することが可能になる。
【００８２】
以上に説明した第２の実施形態による校正処理システム４００では、位置符号化ドットパターン１０１とページデータ１０３の双方をＲＩＰ１１０によりラスター変換したが、位置符号化ドットパターン１０１は、ＲＩＰ１１０を通さずに、ＰＳ、ＰＤＦ等のページ記述言語形式のままドットパターン・ページデータ合成１２７に入力するようにしてもよい。
この場合、ラスター変換されたページデータ１０３は、ＣＭＹＫ→ＣＭＹ変換１２３後、ページ記述言語形式に変換され、ドットパターン・ページデータ合成１２７において、ページ記述言語形式の位置符号化ドットパターン１０１と合成される。
【００８３】
また、以上に説明した第２の実施形態による校正処理システム４００では、ラスター変換を実行するＲＩＰ１１０としてハードウエアＲＩＰを想定したが、校正管理サーバ４０５側に設けた端末（端末４６０でもよい）でGhostScript等のプログラムによりラスター変換処理を実施してもよい。
さらに、第２の実施形態による校正処理システム４００では、ＣＭＹＫ→ＣＭＹ変換１２３およびドットパターン・ページデータ合成１２７を校正管理サーバ４０５で行う構成を採ったが、これらも、校正管理サーバ側に設けた端末（端末４６０でもよい）に予め格納されたプログラムにより実行してもよい。
【００８４】
以上の実施形態では、校正業務に本発明に係る出力物作成方法等を適用する例を示したが、前述のように、本発明に係る出力物作成方法等は、ページデータの内容によって、様々な業務にこれを適用することができる。例えば、作成するページデータの内容をガス会社等の点検用帳票とし、この出力物を持って点検員が点検を行い、点検結果を光学読取機構付きペンで書き込む。書き込んだ点検データをガス会社にネットワークを介して送信すれば、リアルタイムで作業報告の確認等行えるようになる。また、作成するページデータの内容をテスト用紙とし、鉛筆等で解答が書き込まれた後、光学読取機構付きペンで○、×等の採点を行う。その後採点データを送信すれば、送信先で採点データに基づく平均点や偏差値の算出を簡易にそして迅速にすることができるようになる。
【実施例】
【００８５】
本発明の校正用出力物作成方法の実施例として、ブラック（Ｋ）１００％で構成される文字に対し、ＣＭＹＫ→ＣＭＹ変換後のイエロー（Ｙ）成分の量が下記条件の値となるように任意のＩＣＣプロファイルを調整し、色変換を実施した後、合計インク使用量制限のあるプリンタで出力を行った。色変換後のシアン（Ｃ）成分の量は１００％に、マゼンダ（Ｍ）成分の量は９９％に固定した。
条件１：シアン（Ｃ）１００％、マゼンダ（Ｍ）９９％、イエロー（Ｙ）９８％
条件２：シアン（Ｃ）１００％、マゼンダ（Ｍ）９９％、イエロー（Ｙ）８０％
条件３：シアン（Ｃ）１００％、マゼンダ（Ｍ）９９％、イエロー（Ｙ）７０％
条件４：シアン（Ｃ）１００％、マゼンダ（Ｍ）９９％、イエロー（Ｙ）６０％
条件５：シアン（Ｃ）１００％、マゼンダ（Ｍ）９９％、イエロー（Ｙ）４０％
【００８６】
ＣＭＹＫ→ＣＭＹ変換後、出力を行う出力プリンタにはＯＫＩ（登録商標）製ＭｉｃｒｏＬｉｎｅ（登録商標）９６００ＰＳを、出力用紙にはＦｕｊｉｚｅｒｏｘ製Ｊ紙を用いた。プロファイルの作成はＧｒｅｔａｇＭａｃｂｅｔｈ製のＰｒｏｆｉｌｅＭａｋｅｒＰｒｏ４．１．５を用いて行った。プロファイルの調整はＫｏｄａｋ（登録商標）製Ｃｏｌｏｒｆｌｏｗ（登録商標）を用いて行った。
出力プリンタの合計インク使用量制限は２４０％とした。
よって、条件５を除く全条件で、合計インク量が出力プリンタの合計インク使用量制限を超えたため、プリンタ出力の際に、シアン（Ｙ）、マゼンダ（Ｍ）、イエロー（Ｙ）各成分の量の調整が従来どおりに行われた。つまり、合計インク使用量制限を満たす分だけ、各成分のインク量から等量ずつ減じられた。
【００８７】
すなわち、条件１の場合、合計インク量は２９７％となるため、出力プリンタの合計インク使用量制限２４０％を満たすべく、イエロー（Ｙ）を含む各成分の量は１９％ずつ減じられ、それぞれ約８０％の状態で出力された。
また、条件２では、各成分の量は１３％ずつ減じられ、シアン（Ｃ）が８７％、マゼンダ（Ｍ）が８６％、イエロー（Ｙ）が６７％の状態で出力された。
同様に、条件３、４では、イエロー（Ｙ）成分の量はそれぞれ約６０％、約５４％の状態で出力された。
一方、条件５では、合計インク量が出力プリンタの合計インク使用量制限以下に収まったため、イエロー（Ｙ）を含む各成分の量は調整されず、そのまま出力された。
よって、出力時の合計インク量はほぼ同じであったが、条件１から条件５にゆくに従って、出力時のイエロー（Ｙ）成分の量は少なくなることになった。
図１０に、ブラック（Ｋ）１００％で構成される文字を上記各条件のもとでＣＭＹＫ→ＣＭＹ変換し、出力した結果を示す。図は、条件１から条件５で、色変換後のＹ成分の量（出力時の量ではない）、出力物の文字の視認性、文字拡大図、濃度、色バランスの結果について記載をしたものである。ここで、濃度は、ブラック（Ｋ）１００％について、各条件の色変換を行った後、出力を行ったカラーチャートの光学濃度を測定したものである。
【００８８】
結果より、出力された文字については、合計インク量はほぼ同じであるが、イエロー（Ｙ）成分の量の減少とともに濃度が上昇すること、イエロー（Ｙ）成分の量の減少とともに文字の視認性が向上すること、イエロー（Ｙ）成分の量の減少とともに文字の青みが強くなり、色バランスが崩れること、がわかった。
【００８９】
よって、プリンタの合計インク使用量制限がある場合、視認性の良好な出力物を得るには、ＣＭＹＫ→ＣＭＹ変換を実施する場合に、イエロー（Ｙ）の成分の量をシアン（Ｃ）、マゼンダ（Ｍ）成分より少なく制限する本変換手法が有効な手段であることがわかった。ただし、イエロー（Ｙ）成分の量の減少とともに文字の色バランスが崩れる（青みが強くなる）ため、例えば出力プリンタの合計インク使用量制限が２４０％の場合、色バランスを考慮すれば、イエロー（Ｙ）成分の制限は６０％〜７０％程度が好適であると考えられる。ただし、文字の色バランスを考慮しない場合はこの限りでなく、変換後のイエロー（Ｙ）成分の量を０％から６０％の範囲で制限し、文字の濃度を上昇させ、視認性を高めることができる。
【００９０】
今回、色変換の実施は、ブラック（Ｋ）１００％の文字について行ったが、変換後のイエロー（Ｙ）成分の量をシアン（Ｃ）、マゼンダ（Ｍ）成分よりも少なく制限する変換プロファイルによる校正用出力物作成方法は、変換後のイエロー（Ｙ）成分の量を制限しないで変換を行う場合、ＣＭＹＫ→ＣＭＹ変換後の合計インク量が、使用出力機の合計インク使用量制限を越える全てのオブジェクトについて適用することもできる。対象オブジェクトの濃度を上昇させ、視認性を向上させたい場合には有効な方法である。
【００９１】
また、今回はデジタルペン校正システムを例に挙げたが、その他３色（ＣＭＹ）で文字等視認性の要求される対象物を再現する場合には、本発明は有効である。
【００９２】
以上、添付図面を参照しながら、本発明に係る校正用出力物作成方法等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００９３】
【図１】本発明の第１の実施形態に係る校正出力物作成装置１００の機能構成図
【図２】校正出力物作成装置１００のシステム構成図
【図３】校正出力物作成装置の処理の流れを示すフローチャート
【図４】位置情報付き校正出力物作成の説明図
【図５】シアン（Ｃ）、マゼンダ（Ｍ）、イエロー（Ｙ）各成分の量の調整を表す図
【図６】本発明の第２の実施形態に係る校正処理システム４００のシステム構成図
【図７】校正処理システム４００の処理の流れを示すフローチャート
【図８】校正指示の書込み例を示す図
【図９】校正指示の説明図
【図１０】ブラック（Ｋ）１００％の文字をＣＭＹＫ→ＣＭＹ変換し、合計インク使用量制限のあるプリンタで出力した結果を示す図
【符号の説明】
【００９４】
１００………校正出力物作成装置
１０１………位置符号化ドットパターン
１０３………ページデータ
１２０………処理システム
１２３………ＣＭＹＫ→ＣＭＹ変換手段
１２７………ドットパターン・ページデータ合成手段
１３３………位置情報付き校正出力物
１５０………ネットワーク
４００………校正処理システム
４０５………校正管理サーバ
４３１………位置情報付き校正物データ
４４０………校正データ・ページデータ合成手段
４５０………データベース
４７１………校正用端末１
４８１………光学読取機構付きペン
４９０………プリンタ
【図１】
2010028700.tif 000003
【図２】
2010028700.tif 000004
【図３】
2010028700.tif 000005
【図４】
2010028700.tif 000006
【図５】
2010028700.tif 000007
【図６】
2010028700.tif 000008
【図７】
2010028700.tif 000009
【図８】
2010028700.tif 000010
【図９】
2010028700.tif 000011
【図１０】
2010028700.tif 000012